(57)【要約】【課題】第２扉体と共に開口部を開閉するための第１扉体の全体重量の軽量化を図ることができるようになる多重引き式引戸装置を提供すること。【解決手段】上吊り式扉体である第１扉体２１を開閉移動方向へ案内する第１ガイド部材となっている第１ガイドレール３０は、不動部材である上枠部材１０に取り付けられており、前記第１扉体２１の内部に出入り可能となっている上吊り式扉体である第２扉体２２を開閉移動方向へ案内する第２ガイド部材となっている第２ガイドレール３９は、第１及び第２扉体２１，２２の戸先側に配置された不動部材を構成する第１竪枠部材である竪枠部材１１と、第１及び第２扉体２１，２２の戸尻側に配置された不動部材を構成する第２竪枠部材である竪枠部材１２との間に架設され、かつ、第１扉体２１の内部を貫通している。【選択図】図２
2008115530.tif 000002
【特許請求の範囲】
【請求項１】
少なくとも第１及び第２の２個の扉体と、これらの扉体を開閉移動方向へ案内する第１及び第２のガイド部材とを備え、前記第１及び第２扉体の同一方向への移動によって開口部が開閉されるとともに、この開口部は、前記第１扉体よりも前記第２扉体が閉じ側へ前進することにより開閉移動方向へずれた前記第１及び第２扉体によって閉じられ、前記第１ガイド部材は前記第１扉体の上方に配置され、この第１扉体の上部には前記第１ガイド部材に移動自在に係合する第１係合部が設けられ、前記第１扉体は、この第１係合部で前記第１ガイド部材から吊り下げられた上吊り式扉体であり、前記第２ガイド部材は前記第２扉体の上方に配置され、この第２扉体の上部には前記第２ガイド部材に移動自在に係合する第２係合部が設けられ、前記第２扉体は、この第２係合部で前記第２ガイド部材から吊り下げられた上吊り式扉体である多重引き式引戸装置において、
前記第１扉体のための前記第１ガイド部材は、前記第１及び第２扉体に対して不動となっている不動部材に取り付けられ、前記第２扉体のための前記第２ガイド部材も、前記第１及び第２扉体に対して不動となっている不動部材に取り付けられていることを特徴とする多重引き式引戸装置。
【請求項２】
請求項１に記載の多重引き式引戸装置において、前記第１ガイド部材が取り付けられている前記不動部材は上枠部材であり、前記第２ガイド部材が取り付けられている前記不動部材は、前記第１及び第２扉体の戸先側に配置された第１竪枠部材と、前記第１及び第２扉体の戸尻側に配置された第２竪枠部材であり、前記第２ガイド部材は前記第１竪枠部材と前記第２竪枠部材との間に架設されていることを特徴とする多重引き式引戸装置。
【請求項３】
請求項１に記載の多重引き式引戸装置において、前記第１及び第２ガイド部材が取り付けられている前記不動部材は上枠部材であることを特徴とする多重引き式引戸装置。
【請求項４】
請求項１〜３のいずれかに記載の多重引き式引戸装置において、前記第２扉体は前記第１扉体の内部に出入り可能となっており、前記第２ガイド部材は前記第１扉体の内部を貫通していることを特徴とする多重引き式引戸装置。
【請求項５】
請求項１〜４のいずれかに記載の多重引き式引戸装置において、前記第１扉体は複数個の扉体構成部分の組み合わせで構成され、これらの扉体構成部分のうち、少なくとも１個の扉体構成部分に前記第１係合部が設けられ、前記複数個の扉体構成部分が互いに連結可能となっていることを特徴とする多重引き式引戸装置。
【請求項６】
請求項１〜５のいずれかに記載の多重引き式引戸装置において、前記第１ガイド部材は第１ガイドレールであり、前記第２ガイド部材は第２ガイドレールであり、前記第１係合部は前記第１ガイドレールに転動自在に係合する第１ローラであり、前記第２係合部は前記第２ガイドレールに転動自在に係合する第２ローラであることを特徴とする多重引き式引戸装置。
【請求項７】
請求項１〜６のいずれかに記載の多重引き式引戸装置において、前記第１扉体と前記第２扉体は連動機構によって連動可能に連結されていることを特徴する多重引き式引戸装置。
【発明の詳細な説明】
【技術分野】
【０００１】
本発明は、ガイドレール等のガイド部材で案内される複数個の扉体を備え、それぞれの扉体が上方に配置されたガイド部材から吊り下げられた上吊り式の多重引き式引戸装置に係り、例えば、２個の上吊り式扉体で構成される二重引き式引戸装置等に利用できるものである。
【背景技術】
【０００２】
下記の特許文献１には、第１及び第２の２個の扉体と、これらの扉体を開閉移動方向へ案内する第１及び第２ガイド部材となっている第１及び第２ガイドレールとを備え、第１及び第２扉体の同一方向への移動によって開口部が開閉されるとともに、この開口部は、第１扉体よりも第２扉体が閉じ側へ前進することより開閉移動方向へずれた第１及び第２扉体によって閉じられる多重引き式引戸装置である二重引き式引戸装置が示されている。
【０００３】
第１ガイドレールは第１扉体の上方に配置され、この第１扉体の上部には第１ガイドレールに移動自在に係合する第１係合部となっている第１ローラが設けられている。このため、第１扉体は、この第１ローラで第１ガイドレールから吊り下げられた上吊り式扉体となっている。一方、第２ガイドレールは第２扉体の上方に配置され、この第２扉体の上部には第２ガイドレールに移動自在に係合する第２係合部となっている第２ローラが設けられている。このため、第２扉体も、この第２ローラで第２ガイドレールから吊り下げられた上吊り式扉体となっている。
【特許文献１】特開２０００−１９２７４０（図１）
【発明の開示】
【発明が解決しようとする課題】
【０００４】
上記特許文献１に示されている二重引き式引戸装置では、第２扉体の開閉移動を案内するための第２ガイドレールが第１扉体に取り付けられているので、第１扉体の全体重量がそれだけ大きくなるとともに、第１扉体の構造が複雑化する。このため、従来の二重引き式引戸装置を現場に設置するためには、まず第１扉体の開閉移動を案内するための第１ガイドレールの取付作業を行った後、第１扉体を第１ガイドレールに沿って移動自在とするために、前記第１ローラを第１ガイドレールに移動自在に係合させる作業が行われるが、この作業は第１扉体の全体を作業者が持ち上げることによって行われる。しかし、第２ガイドレールが取り付けられている第１扉体を持ち上げることは、作業者にとって大きな労力が必要となる。このため、第１扉体の軽量化を図る工夫が求められている。
【０００５】
本発明の目的は、第２扉体と共に開口部を開閉するための第１扉体の全体重量の軽量化を図ることができるようになる多重引き式引戸装置を提供するところにある。
【課題を解決するための手段】
【０００６】
本発明に係る多重引き式引戸装置は、少なくとも第１及び第２の２個の扉体と、これらの扉体を開閉移動方向へ案内する第１及び第２のガイド部材とを備え、前記第１及び第２扉体の同一方向への移動によって開口部が開閉されるとともに、この開口部は、前記第１扉体よりも前記第２扉体が閉じ側へ前進することにより開閉移動方向へずれた前記第１及び第２扉体によって閉じられ、前記第１ガイド部材は前記第１扉体の上方に配置され、この第１扉体の上部には前記第１ガイド部材に移動自在に係合する第１係合部が設けられ、前記第１扉体は、この第１係合部で前記第１ガイド部材から吊り下げられた上吊り式扉体であり、前記第２ガイド部材は前記第２扉体の上方に配置され、この第２扉体の上部には前記第２ガイド部材に移動自在に係合する第２係合部が設けられ、前記第２扉体は、この第２係合部で前記第２ガイド部材から吊り下げられた上吊り式扉体である多重引き式引戸装置において、前記第１扉体のための前記第１ガイド部材は、前記第１及び第２扉体に対して不動となっている不動部材に取り付けられ、前記第２扉体のための前記第２ガイド部材も、前記第１及び第２扉体に対して不動となっている不動部材に取り付けられていることを特徴とするものである。
【０００７】
本発明では、第１扉体の開閉移動を案内するための第１ガイド部材は、第１及び第２扉体に対して不動となっている不動部材に取り付けられており、第２扉体の開閉移動を案内するための第２ガイド部材も第１及び第２扉体に対して不動となっている不動部材に取り付けられている。
【０００８】
すなわち、本発明では、従来の多重引き式引戸装置の第１扉体とは異なり、第２扉体のための第２ガイド部材が第１扉体に取り付けられていない構造となっている。
【０００９】
このため、本発明によると、第１扉体の全体重量の軽量化を図ることができる。これにより、多重引き式引戸装置を現場に設置する際、第１扉体の上部に設けられている第１係合部を第１ガイド部材に係合させるために作業者が第１扉体の全体を持ち上げるのに必要な労力は軽減されることになる。
【００１０】
さらに、本発明によると、第２扉体のための第２ガイド部材が第１扉体に取り付けられていないことにより、第１扉体の構造の簡単化も図ることができる。
【００１１】
本発明において、不動部材の形式、構造等は任意であるが、その第１の例として、第１ガイド部材が取り付けられている不動部材は上枠部材（いわゆる、無目）であり、第２ガイド部材が取り付けられている不動部材は、第１及び第２扉体の戸先側に配置された第１竪枠部材と、第１及び第２扉体の戸尻側に配置された第２竪枠部材であり、第２ガイド部材が第１竪枠部材と前記第２竪枠部材との間に架設されているものを挙げることができる。また、不動部材の第２の例として、第１及び第２ガイド部材が取り付けられている不動部材が上枠部材であるものを挙げることができる。
【００１２】
以上の本発明において、第１扉体に対して第２扉体を、第１扉体の厚さ方向にずれて配置してもよく、第１扉体の厚さ方向にずれて配置しなくてもよい。
【００１３】
後者の場合における２個の扉体の配置例として、第２扉体が第１扉体の内部に出入り可能となっており、この第２扉体のための第２ガイド部材が第１扉体の内部を貫通するようにしたものを挙げることができる。言い換えると、第１扉体を外側扉体とし、第２扉体をこの外側扉体の内部に入れ子式に収納される内側扉体とし、この内側扉体のための第２ガイド部材は外側扉体の内部を貫通するようにしたものを挙げることができる。
【００１４】
本発明において、第２扉体が第１扉体の内部に出入り可能となっており、第２ガイド部材が第１扉体の内部を貫通している場合であって、第１ガイド部材が取り付けられている不動部材は上枠部材であり、第２ガイド部材が取り付けられている不動部材は、第１及び第２扉体の戸先側に配置された第１竪枠部材と、第１及び第２扉体の戸尻側に配置された第２竪枠部材であり、第２ガイド部材が第１竪枠部材と前記第２竪枠部材との間に架設されている場合には、上枠部材と第２ガイド部材との間には隙間部が形成されていることが必要となる。
【００１５】
また、本発明において、第２扉体が第１扉体の内部に出入り可能となっており、第２ガイド部材が第１扉体の内部を貫通している場合であって、第１及び第２ガイド部材が取り付けられる不動部材が上枠部材となっている場合には、上枠部材に第２ガイド部材の戸先側の端部及び戸尻側の端部が取り付けられ、上枠部材と第２ガイド部材との間には隙間部が形成されていることが必要となる。ここで、第２ガイド部材を上枠部材へ取り付けるための方式は任意であり、例えば、第２ガイド部材の戸先側の端部及び戸尻側の端部をスペーサを介して上枠部材に取り付けるようにしてもよい。これにより、上枠部材と第２ガイド部材との間には隙間部が形成されることになる。また、第２ガイド部材の形状、構造を、この第２ガイド部材の戸先側の端部及び戸尻側の端部が上枠部材に向かって折曲しているものとし、言い換えると、上枠部材に向かって開口している門型形状とし、この第２ガイド部材の戸先側の端部及び戸尻側の端部の先端を上枠部材に取り付けるようにしてもよい。これによっても、上枠部材と第２ガイド部材との間には隙間部が形成されることになる。
【００１６】
以上の本発明において、第１扉体は複数個の扉体構成部分の組み合わせで構成され、これらの扉体構成部分のうち、少なくとも１個の扉体構成部分に前記第１係合部が設けられ、前記複数個の扉体構成部分が互いに連結可能となっているものでもよい。
【００１７】
これによると、第１扉体を構成するそれぞれの扉体構成部分を工場等で製造した後、引戸装置の設置現場において、これらの扉体構成部分のうち、初めに、第１係合部を備えている扉体構成部分を、この第１係合部を第１ガイド部材に係合させることによってこの第１ガイド部材に配置する作業を行い、次いで、この扉体構成部分に他の扉体構成部分を連結することによって扉体を構成する作業を行うことにより、第１係合部を備えている第１扉体の全体を作業者が持ち上げることによって第１係合部を第１ガイド部材に係合する作業を行う必要がなくなり、第１扉体の第１係合部を、この第１扉体の開閉移動を案内するための第１ガイド部材に移動自在に係合するための作業を容易に行えるようになる。
【００１８】
なお、第１扉体を構成する上述した複数個の扉体構成部分の一例として、第１係合部を備えた上側の第１構成部分と、この第１構成部分に連結される下側の第２構成部分とが含まれるものを挙げることができる。この例によると、多重引き式引戸装置の設置現場では、最初に、上側の第１構成部分の第１係合部を第１ガイド部材に係合させ、次いで、この第１構成部分に下側の第２構成部分を連結することによって第１扉体を構成する作業が行われることになる。
【００１９】
なお、本発明において、第２扉体も複数個の扉体構成部分の組み合わせで構成され、これらの扉体構成部分のうち、少なくとも１個の扉体構成部分に前記第２係合部が設けられ、前記複数個の扉体構成部分が互いに連結可能となっているようにしてもよい。
【００２０】
以上の本発明において、第１及び第２ガイド部材は、ガイドレールでもよく、スライドレール（スライディングレール）でもよい。そして、第１ガイド部材と第２ガイド部材の両方がガイドレールとなっていてもよく、第１ガイド部材と第２ガイド部材の両方がスライドレールとなっていてもよく、第１ガイド部材と第２ガイド部材のいずれか一方がガイドレールで、他方がスライドレールとなっていてもよい。第１ガイド部材と第２ガイド部材の両方がガイドレールとなっている場合には、第１ガイド部材は第１ガイドレールであり、第２ガイド部材は第２ガイドレールであり、第１ガイド部材の第１係合部は第１ガイドレールに転動自在に係合する第１ローラであり、第２ガイド部材の第２係合部は第２ガイドレールに転動自在に係合する第２ローラとなる。また、第１ガイド部材と第２ガイド部材の両方がスライドレールとなっている場合には、第１ガイド部材は第１スライドレールであり、第２ガイド部材は第２スライドレールであり、第１ガイド部材の第１係合部は第１スライドレールにスライド自在に係合する第１スライド部であり、第２ガイド部材の第２係合部は第２スライドレールにスライド自在に係合する第２スライド部となる。
【００２１】
以上の本発明において、第１扉体と第２扉体とを連動機構によって連動可能に連結してもよい。
【００２２】
この場合における連動機構の一例は、第１扉体に、全開側である戸尻側と全閉側である戸先側とに分かれて配置された２個の回転部材と、これらの回転部材に掛け回され、一部分が上枠部材等の不動部材に結合されて他の部分に第２扉体が連結された走行部材とを含んで構成されているものである。この連動機構における走行部材は紐状部材でもよく、ベルトでもよい。
【００２３】
また、第１扉体と第２扉体とを連動機構によって連動可能に連結するのではなく、第１扉体と第２扉体のうち、一方の扉体に、この一方の扉体が所定距離移動すると、他方の扉体に設けられた被係止部に係止する係止部を設け、この係止後は、係止部と被係止部によって第１扉体と第２扉体が一体となって移動するようにしてもよい。
【００２４】
以上説明した本発明に係る多重引き式引戸装置は、全閉位置まで達した第１及び第２扉体を収納する戸袋を備えたものでもよく、戸袋を備えないものでもよい。
【００２５】
ここで、戸袋は、外部に露出した戸袋、言い換えると、外部から視認できる戸袋でもよく、壁の内部に収納された壁収納式の戸袋でもよい。また、上記戸袋は、この戸袋に収納された前記第１及び第２扉体の一方の片面だけを隠し、他方の片面を外部に露出させる片面式の戸袋でもよい。
【００２６】
また、第１及び第２ガイド部材で案内される第１及び第２扉体の開閉移動形態は任意である。すなわち、第１及び第２扉体を案内する第１及び第２ガイド部材は、第１及び第２扉体を直線的に案内するものでもよく、曲線的に案内するものでもよく、さらに、例えば、第１及び第２扉体を建物躯体等に近づけながら全閉とさせるために、第１及び第２ガイド部材は、第１及び第２扉体をこの第１及び第２扉体の厚さ方向に略平行移動させながら第１及び第２扉体の幅方向（第１及び第２扉体の開閉移動方向）に移動させるものでもよい。
【発明の効果】
【００２７】
本発明によると、第２扉体と共に開口部を開閉するための第１扉体の全体重量の軽量化を図ることができるようになるという効果を得られる。
【発明を実施するための最良の形態】
【００２８】
以下に本発明を実施するための形態を図面に基づいて説明する。本実施形態に係る多重引き式引戸装置は、２個の扉体２１，２２が、それぞれの扉体２１，２２の上方に配置されたそれぞれのガイド部材となっているガイドレール３０，３９から吊り下げられ、これらのガイドレール３０，３９が扉体２１，２２を開閉移動方向へ案内する上吊り式の多重引き式引戸装置である。また、この引戸装置は、第１扉体となっている扉体２１及び第２扉体となっている扉体２２の同一方向への移動によって開口部が開閉されるとともに、この開口部は、扉体２１より扉体２２が閉じ側へ前進することにより開閉移動方向へずれた扉体２１，２２によって閉じられるものである。なお、この引戸装置は、全開位置まで達した扉体２１，２２を収納するための戸袋３を有するものであって、この戸袋３は、壁５の内部に収納された壁収納式の戸袋となっている。
【００２９】
図１は、例えば、建物内における廊下と部屋との間に配置され、開閉移動方向が同じとなっている第１扉体２１と第２扉体２２で開閉される開口部が、出入口２となっているこの引戸装置の全体を示す正面図である。
【００３０】
この引戸装置の外枠組みは、扉体２１，２２に対して不動となっている不動部材である上枠部材１０と、図１で示すように第１及び第２扉体２１，２２で出入口２が全閉となったときに第２扉体２２の先端が当接する戸先側の竪枠部材１１と、この戸先側の竪枠部材１１とは扉体２１，２２の移動方向反対側に配置されている戸尻側の竪枠部材１２と、これらの竪枠部材１１と１２の間に配置されているとともに、出入口２を開けたときの扉体２１，２２が収納される戸袋３における出入口２の側の端部に配置された竪額縁部材１３と、床４における戸袋３の下端に配置された幅木１４とを含んで形成されている。このため、竪枠部材１１は、扉体２１，２２の戸先側に配置された第１竪枠部材となっており、竪枠部材１２は、扉体２１，２２の戸尻側に配置された第２竪枠部材となっている。
【００３１】
出入口２は、これらの枠部材１０〜１４で形成された外枠組みの内側の一部の空間となっている。上枠部材１０は、戸先側の竪枠部材１１から戸尻側の竪枠部材１２まで延びているため、この上枠部材１０は出入口２と戸袋３に跨る長さを有し、竪額縁部材１３は、戸袋３における出入口２側の見切り部材となっている。
【００３２】
戸袋３は、上枠部材１０と幅木１４の長手方向（図１では左右方向であって、扉体２１，２２の開閉移動方向）に連続している補強部材２０によって補強された構造となっており、長手方向の両端が竪枠部材１２と竪額縁部材１３に結合されているこの補強部材２０は、竪枠部材１１，１２と竪額縁部材１３の長手方向である上下方向に複数個配設されている。そして、これらの補強部材２０の上下において、上枠部材１０と幅木１４の長手方向に細長い形状となっている内側壁材が接着テープ等による結合具で補強部材２０に結合され、これらの内側壁材の外側に大面積を有する外側壁材が配置され、補強部材２０にビスやステープル等の結合具で結合されているこの外側壁材の表面に、クロス等の壁仕上げ材が取り付けられている。このため、これらの内側壁材と外側壁材と壁仕上げ材により、戸袋３の部分の壁５が形成され、戸袋３は、補強部材２０が構造材となって壁５の内部に形成されている。
【００３３】
上枠部材１０の全長のうち、出入口２と対応する部分は、点検カバー２３で開閉可能に塞がれる開口部１０Ａとなっている。また、上枠部材１０の内部には、扉体２１，２２を開閉移動させるための扉体移動機構が収納配置されている。
【００３４】
図２及び図３は、点検カバー２３を取り外し、かつ竪額縁部材１３と戸袋３と壁５を除外して示した扉体移動機構の全体正面図であり、図２は、第１扉体２１と第２扉体２２が出入口２を全閉とする位置に達していて出入口２が閉じられているときであり、図３は、第１扉体２と第２扉体２２が出入口２を全開とする位置に達していて出入口２が開けられているときである。図４は、図２のときにおける第１扉体２１と扉体移動機構の一部を拡大して示した正面図であり、図５は、図２のときにおける第２扉体２２と扉体移動機構の一部を拡大して示した正面図である。図６は、図２のときにおける第１扉体２１と第２扉体２２と扉体移動機構の要部を拡大して示した正面図である。図７は、点検カバー２３を２点鎖線で示した図６のＳ７−Ｓ７線断面図である。なお、図２〜図６では、竪枠部材１１の一部が破断して示されている。
【００３５】
図７に示されているとおり、点検カバー２３は、上端に斜め下向きに形成され、上枠部材１０の上面１０Ｂの端部の傾斜延出部１０Ｃに係止される係止部２３Ａと、この係止部２３Ａから鉛直又は略鉛直下向きに延びている正面部２３Ｂと、この正面部２３Ｂの下端から上枠部材１０の内側へ水平又は略水平に屈曲している下面部２３Ｃとを有する。上枠部材１０の開口部１０Ａを塞いでいるときの点検カバー２３は、係止部２３Ａが上枠部材１０の傾斜延出部１０Ｃに係止され、これにより点検カバー２３の重量が上枠部材１０で支持され、また、図１から分かるように、下面部２３Ｃが、戸先側の竪枠部材１１と竪額縁部材１３に取り付けられているブラケット２４，２５にビス等の止着具２６，２７で止められている。
【００３６】
点検カバー２３を取り外して上枠部材１０の開口部１０Ａを開けるときには、止着具２６，２７を取り外し、これにより、点検カバー２３は、上端の係止部２３Ａを中心に上枠部材１０の内外方向に揺動可能となるため、上枠部材１０の外側方向へ揺動させ持ち上げるなどすることにより、係止部２３Ａを上枠部材１０の傾斜延出部１０Ｃから抜き取る。これにより、点検カバー２３が取り外されて上枠部材１０の開口部１０Ａが開けられることになり、また、以上とは逆の作業を行うことにより、開口部１０Ａを点検カバー２３で塞ぐことができる。
【００３７】
次に、前述の扉体移動機構について説明する。
【００３８】
図２及び図３に示されているように、無目である上枠部材１０の内部には、この上枠部材１０の全長より若干短い長さとなった第１ガイドレール３０が、扉体２１の上方において配置され、この第１扉体２１を直線となっている開閉移動方向へ案内するための本実施形態の第１ガイド部材となっているこの第１ガイドレール３０は、図７に示されているように、上下に延びる基端部３０Ａと、この基端部３０Ａの下端から扉体２１の厚さ方向へ水平又は略水平に延びるアーム部３０Ｂとを有する断面略Ｌ字の連続形状となっている。そして、基端部３０Ａは、上枠部材１０の内部に補強のために配置されている取付部材２９を介して上枠部材１０にビス等の結合具３１で結合されている。
【００３９】
このため、第１ガイドレール３０は、扉体２１，２２に対して不動部材となっている上枠部材１０に取り付けられており、また、この第１ガイドレール３０は、水平かつ上枠部材１０に平行に設けられている。
【００４０】
第１扉体２１の上部には、第１ガイドレール３０のアーム部３０Ｂの先端に上向きに形成されたローラ載置部３０Ｃの上に転動自在に載っている第１ローラ３２がブラケット３３を介して取り付けられている。第１ローラ３２の外周面には、この第１ローラ３２がローラ載置部３０Ｃによって案内されるように、溝が全周にわたって設けられている。これらの第１ローラ３２とブラケット３３は、図４で示されているとおり、上枠部材１０の長手方向である第１扉体２１の開閉移動方向に複数（図示によれば２個）設けられている。
【００４１】
このため、第１扉体２１は、この第１扉体２１の上方に配置された第１ガイドレール３０に第１ローラ３２が載っていて、第１ガイドレール３０に吊り下げられた上吊り式の扉体になっている。そして、第１ローラ３２は、第１ガイドレール３０に転動自在に係合した第１扉体２１の第１係合部となっており、第１扉体２１は、第１ガイドレール３０に案内される第１ローラ３２の転動によって開閉移動自在となっている。
【００４２】
図８は、図７では示されていない第１扉体２１と第２扉体２２の下部を示す断面図であり、第１扉体２１の下端部には、この扉体２１の開閉移動方向に連続する溝３４が形成され、下向きに開口しているこの溝３４の内部には、図１で示した床４に配置された第１ガイドローラ３５が挿入されている。このため、第１ガイドレール３０で案内される第１扉体２１の開閉移動は、第１扉体２１の下端部がこの第１ガイドローラ３５で案内されることによっても行われる。
【００４３】
前述した第２扉体２２に対して戸尻側（言い換えると、開き側）の扉体となっている第１扉体２１は、図６及び図７で示されているように、前記第１ローラ３２と前記ブラケット３３が設けられた上側の第１構成部分２１Ａと、この第１構成部分２１Ａに連結された下側の第２構成部分２１Ｂとの組み合わせで構成されており、第２構成部分２１Ｂが第１扉体２１の本体部分となっている。第１構成部分２１Ａは、第２構成部分２１Ｂよりも上下寸法が小さくなっているが、第１構成部分２１Ａの開閉移動方向の長さ寸法は、第２構成部分２１Ｂの開閉動方向の長さ寸法と同じ又は略同じとなっている。このため、図６に示すように、第１構成部分２１Ａと第２構成部分２１Ｂの戸先側の端部は一致又は略一致しており、第１構成部分２１Ａと第２構成部分２１Ｂの戸尻側の端部も一致又は略一致している。
【００４４】
また、第１構成部分２１Ａは、図７で示すとおり、板材の折り曲げによる枠部材３６で形成されており、このため、断面箱形となっている第１構成部分２１Ａの内部は、扉体２１，２２の開閉移動方向に連続する空洞部となっている。また、枠部材３６における扉体２１，２２の厚さ方向の一方の側は、水平部３６Ａから垂下する第１垂下部３６Ｂとなっており、他方の側は、水平部３６Ａから垂下する第２垂下部３６Ｃとなっている。
【００４５】
また、図７に示されているように、枠部材３６の内側には、第１構成部分２１Ａを補強するための折り曲げによる枠部材３７が配置されており、この枠部材３７は、水平部３７Ａと、この水平部３７Ａにおける扉体２１，２２の厚さ方向の両端部のうちの一方の端部である取付部材２９側の端部から垂下する垂下部３７Ｂとからなる断面略逆Ｌ字形状となっている。そして、この枠部材３７の水平部３７Ａが、ブラケット３３と共に枠部材３６の水平部３６Ａにビス等の結合具で結合されている。なお、図６のＳ９−Ｓ９線断面図である図９に示されているように、枠部材３７の扉体２１，２２の開閉移動方向（長手方向）の長さ寸法は、枠部材３６の扉体２１，２２の開閉移動方向の長さ寸法よりも短くなっている。
【００４６】
また、図７に示されているように、第１構成部分２１Ａの内部には、第１扉体２１に対して戸先側（言い換えると、閉じ側）の扉体となっている前記第２扉体２２のための第２ガイドレール３９が貫通して配置され、本実施形態の第２ガイド部材となっているこの第２ガイドレール３９は、第１ガイドレール３０と同じく、上下に延びる基端部３９Ａと、この基端部３９Ａの下端から扉体２２の厚さ方向へ水平又は略水平に延びるアーム部３９Ｂとを有する断面略Ｌ字の連続形状であり、図２及び図３に示されているように、上枠部材１０の全長又は略全長に渡る長さを有している。
【００４７】
図４及び図９に示されているように、第１竪枠部材となっている竪枠部材１１における枠部材３６の水平部３６Ａよりも下方の高さ位置には、水平部１００Ａと垂直部１００Ｂとからなる断面略逆Ｌ字のブラケット１００がビス等の結合具１０１で竪枠部材１１の窪み部１１Ａに結合されている。また、図４、図７及び図９に示されているように、第２竪枠部材となっている竪枠部材１２における枠部材３６の水平部３６Ａよりも下方の高さ位置にも、ブラケット１００がビス等の結合具１０１で竪枠部材１２に結合されている。そして、図４に示されているように、竪枠部材１１に結合されているブラケット１００の水平部１００Ａの高さ位置は、竪枠部材１２に結合されているブラケット１００の水平部１００Ａの高さ位置と同じ又は略同じとなっている。
【００４８】
図４及び図９に示されているように、第２ガイドレール３９の長手方向の一方の端部である戸先側の端部３９Ｄにおけるアーム部３９Ｂは、竪枠部材１１に結合されたブラケット１００の水平部１０１Ａに載置され、ビス等の結合具９８で結合されている。一方、第２ガイドレール３９の長手方向の他方の端部である戸尻側の端部３９Ｅにおけるアーム部３９Ｂも、竪枠部材１２に結合されたブラケット１００の水平部１０１Ａに載置され、ビス等の結合具９８で結合されている。
【００４９】
このため、本実施形態では、第２扉体２２のための第２ガイドレール３９は、扉体２１，２２に対して不動部材となっている竪枠部材１１と竪枠部材１２との間に水平又は略水平に架設されており、図７及び図９に示すように、第２ガイドレール３９と上枠部材１０との間には、隙間部４５が形成されている。これにより、第２ガイドレール３９は、第１扉体２１の第１構成部分２１Ａの内部を貫通して配置される。言い換えると、第１構成部分２１Ａを構成する枠部材３６の第２垂下部３６Ｃ及び枠部材３７の垂下部３７Ｂ等が、第２ガイドレール３９と上枠部材１０との間を通過することができる。また、第２ガイドレール３９は、前記第１ガイドレール３０と同様に、無目である上枠部材１０に平行に設けられており、第１ガイドレール３０と上下方向である高さ方向、扉体厚さ方向共に平行に設けられている。このため、第１扉体２１と第２扉体２２とは、平行に（偏りなく）開閉移動する。
【００５０】
図７に示されているように、第２扉体２２の上部には、第２ガイドレール３９のアーム部３９Ｂの先端に上向きに形成されたローラ載置部３９Ｃの上に転動自在に載っている第２ローラ４０がブラケット４１を介して取り付けられている。前記第１ローラ３２と同様に、第２ローラ４０の外周面には、この第２ローラ４０がローラ載置部３９Ｃによって案内されるように、溝が全周にわたって設けられている。これらの第２ローラ４０とブラケット４１は、図５で示されているとおり、第２扉体２２の開閉移動方向に複数（図示によれば２個）設けられている。
【００５１】
このため、第２扉体２２は、この第２扉体２２の上方に配置された第２ガイドレール３９に第２ローラ４０が載っていて、第２ガイドレール３９に吊り下げられた上吊り式の扉体になっている。そして、第２ローラ４０は、第２ガイドレール３９に転動自在に係合した第２扉体２２の第２係合部となっており、第２扉体２２は、第２ガイドレール３９に案内される第２ローラ４０の転動によって開閉移動自在となっている。
【００５２】
なお、第１ガイドレール３０のローラ載置部３０Ｃと、第２ガイドレール３９のローラ載置部３９Ｃとの扉体厚さ方向の位置関係は任意であるが、本実施形態では、好ましい一例として、第１ガイドレール３０のローラ載置部３０Ｃと、第２ガイドレール３９のローラ載置部３９Ｃとは、扉体厚さ方向に同じ位置又は略同じ位置となっている。
【００５３】
図８に示すとおり、第２扉体２２の下端部には、この扉体２２の開閉移動方向に連続する溝４２が形成され、下向きに開口しているこの溝４２の内部には、第１扉体２１の前記溝３４を形成している下部フレーム部材４３に取り付けられた第２ガイドローラ４４が挿入されている。このため、第２ガイドレール３９で案内される第２扉体２２の開閉移動は、第２扉体２２の下端部がこの第２ガイドローラ４４で案内されることによっても行われる。
【００５４】
また、図７及び図８で示されているように、第２扉体２２の厚さは第１扉体２１の厚さよりも小さく、そして、第１扉体２１の内部は、前記第１構成部分２１Ａから前記第２構成部分２１Ｂまで達する空洞部となっており、この空洞部に、開口した端面となっている第１扉体２１の戸先側の端面から第２扉体２２が出入り可能となっている。すなわち、第１扉体２１と開閉移動方向が同じになっている第２扉体２２は、第１扉体２１の内部に出没可能な入れ子式となっている。そして、第２ガイドレール３９は第１扉体２１の内部を貫通している。
【００５５】
これらの第１扉体２１と第２扉体２２は連動機構によって連結され、この連動機構により、第１扉体２１と第２扉体２２は連動して開閉移動するようになっている。この連動機構は、図６のＳ１０−Ｓ１０線断面図である図１０に示されている。連動機構５０は、第１扉体２１の枠部材３６の水平部３６Ａの下面に取り付けられていてこの第１扉体２１の戸先側の端部から突出した平板状のベース部材４７の上面における戸先側の端部に、ブラケット５１を介して回転自在に取り付けられた第１回転部材５２と、前記枠部材３６の水平部３６Ａの上面における戸尻側の端部にブラケット５３を介して回転自在に取り付けられた第２回転部材５４と、これらの回転部材５２と５４に緊張力をもって掛け回された紐状部材５５とを含んで構成され、金属製ワイヤー又は合成樹脂製紐等で形成されている紐状部材５５は、回転部材５２，５４を回転させながら走行する走行部材となっている。
【００５６】
図１１は、図６のＳ１１−Ｓ１１線断面図である。この図１１、図７及び図１０に示されているように、ブラケット５１はブラケット５３と同じ又は略同じ形状、構造を有しており、ブラケット５１をベース部材４７に直接取り付けた場合には、第１回転部材５２の高さ位置が第２回転部材５４の高さ位置よりも低くなってしまうため、図４及び図１１に示すように、ブラケット５１とベース部材４７との間にはスペーサ４８が配置されている。これにより、図４に示すように、第１回転部材５２の高さ位置は第２回転部材５４の高さ位置と同じ又は略同じとなっている。
【００５７】
図７及び図１０に示されているように、紐状部材５５の一部は、不動部材となっている前述の上枠部材１０の取付部材２９に結合部材５６で結合され、また、紐状部材５５の両端部は、図１１及び図５で示されているとおり、第２扉体２２の前記第２ローラ４０ごとに設けられている２個の前記ブラケット４１のうち、戸先側のブラケット４１に結合された連結部材５７にビス等の止着具で止着されている。このため、図１０に示すように、紐状部材５５の両端部は連結部材５７を介して連結されているため、この紐状部材５５は実質的に無端の紐状部材になっているとともに、この紐状部材５５の一部に第２扉体２２が連結されていることになる。
【００５８】
これにより、図１で示されている把持部５８を把持した手によって第２扉体２２を移動させると、この移動は、紐状部材５５の走行と回転部材５２，５４の回転とによって第１扉体２１に伝達され、この伝達により、第１扉体２１は、第２扉体２２の速度の半分の速度で第２扉体２２と同じ方向へ移動し、第１扉体２１はこの引戸装置における低速扉体となり、第２扉体２２はこの引戸装置における高速扉体となる。開き側へ移動した第１扉体２１が、図１で示した戸尻側の竪枠部材１２に取り付けられたストップ部材５９（図９も参照）に当接することにより、第１扉体２１と第２扉体２２は前記出入口２を全開又は略全開とする図３の位置に達し、このときには、第１扉体２１の全部又は略全部は図１で説明した戸袋３の内部に収納されているとともに、第２扉体２２の略全部（把持部５８がない場合は全部でも可）は第１扉体２１の内部に侵入している。
【００５９】
なお、図面では示されていないが、第１扉体２１と第２扉体２２が出入口２を全開又は略全開とする図３の位置に達したときに、これらの扉体２１，２２のうちの一方をその位置に停止させて他方の扉体も連動機構５０を介して停止させ、把持部５８によって第２扉体２２を閉じ側へ移動操作したときには、上記一方と上記他方が閉じ側へ移動することを許容する全開位置停止装置を上枠部材１０や竪枠部材１２等の不動部材に取り付けてもよい。
【００６０】
また、図３及び図５で示されているように、上枠部材１０の内部空間には、２個の扉体２１，２２を自動的に閉じ移動させるための渦巻きばね式の自動閉鎖装置６０が配置され、この自動閉鎖装置６０は、竪枠部材１１の窪み部１１Ａに取り付けられている。自動閉鎖装置６０からは、この自動閉鎖装置６０の内部に設けられている渦巻きばね機構に一端が連結された金属製ワイヤー又は合成樹脂製紐等による紐状部材６１が導出され、この紐状部材６１の他端は、第２扉体２２の前記第２ローラ４０ごとに設けられている２個の前記ブラケット４１のうち、戸先側のブラケット４１に連結されている。
【００６１】
第２扉体２２の戸先側の端部が戸先側の竪枠部材１１に当接していて２個の扉体２１，２２が前記出入口２を全閉としているときに、把持部５８を握った手によって第２扉体２２を第２ガイドレール３９に案内させて開き移動させ、第１扉体２１も連動機構５０を介して第２扉体２２の速度の半分の速度で開き移動させると、自動閉鎖装置６０から繰り出される紐状部材６１により、上記渦巻きばね機構の渦巻きばねにばね力が蓄圧される。そして、把持部５８から手を離すと、この蓄圧されたばね力によって第２扉体２２が自動的に閉じ移動し、第１扉体２１も連動機構５０を介して第２扉体２２の速度の半分の速度で閉じ移動する。このため、本実施形態に係る引戸装置は、２個の扉体２１，２２が、前記出入口２を全閉とする図１及び図２の位置まで自動的に移動する自動閉鎖式の引戸装置になっている。
【００６２】
また、図４及び図７で示されているように、第１扉体２１の前述した第１構成部分２１Ａの上部にはロータリー式ブレーキ装置７０が配置されており、図１２には、図４におけるこのブレーキ装置７０をさらに拡大した図が示されている。収納ケースが２点鎖線で示されているこのブレーキ装置７０は、図４に示すように、第１扉体２１の前記第１ローラ３２ごとに設けられている２個の前記ブラケット３３のうち、戸先側のブラケット３３に取り付けられている。すなわち、本実施形態では、このブラケット３３は、第１扉体２１に第１ローラ３２とブレーキ装置７０の両方を取り付けるための部材となっており、部材の兼用化が図られている。
【００６３】
ロータリー式ブレーキ装置７０は、図１２に示すように、ラック部材７１に噛合するピニオンギア７２を有し、このピニオンギア７２の回転中心軸７３は、図７に示すように、扉体２１の厚さ方向に延びているとともに、この回転中心軸７３の軸方向は水平又は略水平方向となっており、この回転中心軸７３と上記第１ローラ３２の回転中心軸７４とは、平行又は略平行となっている。図７で示されているように、ラック部材７１は、上枠部材１０の内部の前記取付部材２９に取り付けられた保持部材７５で下向きに保持されている。
【００６４】
ラック部材７１と保持部材７５は、第１扉体２１の開閉移動方向への長さを有しているとともに、この長さの大部分が第１ガイドレール３０と平行であるこれらのラック部材７１と保持部材７５は、図３で示されているように、第１ガイドレール３０の全長に渡る長さとなっておらず、ラック部材７１と保持部材７５の戸先側の端部の位置は、図１２に示されているように、第１扉体２１が第２扉体２２と共に前記出入口２を全閉とする位置に達したときに、ピニオンギア７２が到達している位置と同じ位置又はこれよりも少し戸先側の位置となっている。また、ラック部材７１と保持部材７５の戸尻側の端部の位置は、第２扉体２２の戸先側の端部と戸先側の竪枠部材１１との間に、例えば５０ｃｍなどの所定の間隔（制動距離が確保でき、この間の移動に時間が多く掛からない長さとして適宜定められる）が開いている位置まで第１扉体２１が達しているときに、この第１扉体２１におけるピニオンギア７２と同じ位置又は略同じ位置となっている。
【００６５】
ロータリー式ブレーキ装置７０の内部には、シリコンオイル等の粘性流体が充填され、この粘性流体の内部には、ピニオンギア７２に前記回転中心軸７３を介して結合されたブレードが収納され、ピニオンギア７２が回転すると、このブレードも回転中心軸７３を介して回転する。
【００６６】
このため、第１扉体２１と第２扉体２２が、前述した自動閉鎖装置６０の渦巻きばね機構の渦巻きばねに蓄圧されたばね力による自動閉鎖力によって全開側から全閉側へ閉じ移動し、この閉じ移動の途中において、ピニオンギア７２がラック部材７１に噛合し始めたときには、このときからピニオンギア７２がラック部材７１によって回転することにより、第１扉体２１には、ロータリー式ブレーキ装置７０の上記粘性流体がブレードで撹拌されることで生ずる粘性力による制動力が発生し、連動機構５０を介して第１扉体２１と連結されている第２扉体２２にも制動力が生じ、これにより、２個の扉体２１，２２は、ロータリー式ブレーキ装置７０で制動されて減速しながら出入口２を全閉とする位置まで達する。
【００６７】
また、前述したように、図１で示した把持部５８を握った手によって第２扉体２２を開き移動させ、連動機構５０を介して第２扉体２２と連結されている第１扉体２１も開き移動させる場合にも、ラック部材７１と噛合しているピニオンギア７２は回転するが、このピニオンギア７２と、ピニオンギア７２の前記回転中心軸７３との間には一方向クラッチが介設されており、第１扉体２１が開き側へ移動しているときのピニオンギア７２の回転については、この一方向クラッチの接続は断絶されるため、２個の扉体２１，２２の開き移動を、ロータリー式ブレーキ装置７０による制動力を発生させずに小さな力で軽く行うことができる。
【００６８】
なお、全閉側へ移動している２個の扉体２１，２２を減速させるためのブレーキ装置は、上記ロータリー式のものに限らず任意な形式のものを採用でき、例えば、シリンダ式のものでもよい。
【００６９】
前述したように、第１扉体２１は、上側の第１構成部分２１Ａと、下側の第２構成部分２１Ｂとの組み合わせで構成されているが、第１扉体２１の本体部分となっている第２構成部分２１Ｂは、以下に説明する構造となっている。この構造は、図７、図８及び第２扉体２２を除外して示した第１扉体２１の平断面図となっている図１３とに示されている。
【００７０】
第１扉体２１の第２構成部分２１Ｂは、第１扉体２１の厚さ方向両側の表面パネル８１，８２と、これらの表面パネル８１，８２の間に入れられた図８の前記下部フレーム部材４３と、表面パネル８１，８２の間に入れられた図１３の戸尻側の側部フレーム部材８３とで構成され、表面パネル８１，８２の下端部と、下部フレーム部材４３は、図８で示すビス等の結合具９１，９２で結合され、表面パネル８１，８２の戸尻側の端部と、側部フレーム部材８３は、図１３で示すビス等の結合具９３，９４で結合されている。
【００７１】
なお、それぞれの表面パネル８１，８２は、これらの表面パネル８１，８２の四周辺部に配置された骨組み材と、これら骨組み材に被せられた表面板とで形成されている。また、それぞれの表面パネル８１，８２の内面には、図１３に示されているように、第１扉体２１に耐火性を付与するための耐火材９５が取り付けられている。そして、第２扉体２２の内部にも、図７及び図８に示されているように、耐火材９５が充填されている。
【００７２】
また、一方の表面パネル８１は、図７で示されているように、第１構成部分２１Ａを形成している前記枠部材３６の第２垂下部３６Ｃに、この表面パネル８１の上端に結合された連結部材９７を介して連結されており、この連結部材９７と第２垂下部３６Ｃとの連結は、ビス等の結合具９６で行われている。また、他方の表面パネル８２も、枠部材３６の前記第１垂下部３６Ｂに、この表面パネル８２の上端に結合された連結部材９７を介して連結されており、この連結部材９７と第１垂下部３６Ｂとの連結は、ビス等の結合具９６で行われている。
【００７３】
次に、以上説明した本実施形態に係る引戸装置の組立作業についてこの組立作業の途中状態が示されている図１４及び図１５も参照しながら説明する。
【００７４】
前述した引戸装置の外枠組みを形成する上枠部材１０や、竪枠部材１１，１２、竪額縁部材１３等は、工場において生産され、第１扉体２１と第２扉体２２も工場で生産され、これらは、引戸装置の設置現場に搬送される。この搬送時には、上枠部材１０の取付部材２９に、第１ガイドレール３０と、ラック部材７１を保持する保持部材７５等が取り付けられており、連動機構５０の紐状部材５５も結合部材５６で結合されており、第１扉体２１の上側の第１構成部分２１Ａの枠部材３６の水平部３６Ａの下面に、連動機構５０の第１回転部材５２が取り付けられたベース部材４７が結合されており、また、第１構成部分２１Ａの枠部材３６の水平部３６Ａの上面に、連動機構５０の第２回転部材５４が取り付けられており、このように、設置現場への搬送や設置現場での設置等に支障のでない実施可能の各種作業は予め工場で行われている。
【００７５】
しかし、上記搬送時には、第１扉体２１の上側の第１構成部分２１Ａに下側の第２構成部分２１Ｂは連結されておらず、このため、これらの第１構成部分２１Ａと第２構成部分２１Ｂは、分離状態となって引戸装置の設置現場に搬送される。
【００７６】
また、上記搬送時には、第２構成部分２１Ｂを構成する両方の表面パネル８１と８２は、下部フレーム部材４３（図８参照）と側部フレーム部材８３（図１３参照）を介して結合されておらず、一方の表面パネル８１に下部フレーム部材４３と側部フレーム部材８３が結合具９１，９３で結合され（図８及び図１３を参照）、また、この表面パネル８１の上端には、図７に示されている前記連結部材９７が結合されている。なお、表面パネル８２の上端にも、図７に示されている連結部材９７が結合されている。
【００７７】
引戸装置の設置現場において、まず、竪枠部材１１，１２や上枠部材１０によって前記外枠組みを形成する。なお、上枠部材１０は、図７に示されているように、上側の壁５の下地材１５にアンカー部材１６を介して結合される。また、このとき、前記補強部材２０や前記内側壁材と外側壁材と壁仕上げ材による戸袋３の部分の壁５のうちの前記点検カバー２３が取り付けられる側とは反対側の壁５を形成する作業や、扉体２１，２２の厚さ方向両側に配置される２個の竪額縁部材１３（図９及び図１０参照）のうちの前記点検カバー２３が取り付けられる側とは反対側に配置される竪額縁部材１３を取り付ける作業も行われる。なお、点検カバー２３が取り付けられる側の壁５を形成する作業や、点検カバー２３が取り付けられる側に配置される竪額縁部材１３を取り付ける作業や、上枠部材１０に点検カバー２３を取り付ける作業は、扉体２１，２２を設置した後に行う。
【００７８】
竪枠部材１１，１２や上枠部材１０によって外枠組みを形成した後、図１４に示されているように、第１扉体２１の第１構成部分２１Ａにブラケット３３を介して取り付けられている第１ローラ３２を、上枠部材１０の取付部材２９に取り付けられている第１ガイドレール３０の上に載せる作業、すなわち、第１ローラ３２を第１ガイドレール３０に係合させることによって第１構成部分２１Ａを第１ガイドレール３０に吊り込む作業を行う。この吊り込み作業は、ブレーキ装置７０のピニオンギア７２を、上枠部材１０の取付部材２９に結合された保持部材７５に保持されているラック部材７１に噛合させながら行う。
【００７９】
なお、図６に示されているように、第１ガイドレール３０が通常の第１扉体２１の開閉における第１ローラ３２の転動範囲よりも余分に戸先側へ長い場合には、ブレーキ装置７０のピニオンギア７２を、戸先側にラック部材７１を避けて吊り込み作業を行うことも可能である。
【００８０】
上記吊り込み作業は、第１扉体２１の上下を構成する第１構成部分２１Ａと第２構成部分２１Ｂのうち、第１構成部分２１Ａだけについて行うため、第１扉体２１の全体よりも軽量となっている第１構成部分２１Ａを第１ガイドレール３０に容易に吊り込むことができる。
【００８１】
この後、図４に示すように、竪枠部材１１，１２に、第２ガイドレール３９を架設するためのブラケット１００の垂直部１００Ｂをビス等の結合具１０１で結合する。次に、図４及び図９に示すように、第２ガイドレール３９の戸先側の端部３９Ｄにおけるアーム部３９Ｂを、竪枠部材１１に結合した前記ブラケット１００の水平部１００Ａに載置し、また、第２ガイドレール３９の戸尻側の端部３９Ｅにおけるアーム部３９Ｂも、竪枠部材１２に結合した前記ブラケット１００の水平部１００Ａに載置する。この後、前記端部３９Ｄにおけるアーム部３９Ｂをブラケット１００にビス等の結合具９８で結合するとともに、前記端部３９Ｅにおけるアーム部３９Ｂもブラケット１００にビス等の結合具９８で結合する。
【００８２】
次に、第１扉体２１の第２構成部分２１Ｂを構成する表面パネル８１，８２のうち、下部フレーム部材４３と側部フレーム部材８３が結合具９１，９３で結合されている表面パネル８１を、図１５に示されているように、この表面パネル８１の上端に工場で結合された連結部材９７を第１構成部分２１Ａの枠部材３６の第２垂下部３６Ｃに結合具９６で結合することにより、第１構成部分２１Ａに連結する。この作業は、下部フレーム部材４３の溝３４に前記第１ガイドローラ３５を挿入しながら行う。なお、前述の図９に示されているように、枠部材３７の垂下部３７Ｂの扉体２１の開閉移動方向の長さは、枠部材３６の第２垂下部３６Ｃの扉体２１の開閉移動方向の長さよりも短いため、表面パネル８１の連結部材９７を前記枠部材３６の第２垂下部３６Ｃに結合具９６で結合する際に、この枠部材３７の垂下部３７Ｂが邪魔にならないようになっている。
【００８３】
この後、第２扉体２２にブラケット４１を介して取り付けられている第２ローラ４０を第２ガイドレール３９の上に載せる作業、すなわち、第２ローラ４０を第２ガイドレール３９に係合させることによって第２扉体２２を第２ガイドレール３９に吊り込む作業を行う。なお、この作業は、先に第１ガイドレール３０に吊り下げられている第１扉体２１が、第２ガイドレール３９に吊り込もうとする第２扉体２２と干渉しないように、予め第１扉体２１を戸尻側へ開き移動させておく必要がある。
【００８４】
第２扉体２２を第２ガイドレール３９に吊り込んだ後は、この第２扉体２２を戸尻側へ開き移動させて、図８で示されている第２扉体２２の下端部の溝４２に、前記表面パネル８１に取り付けられている下部フレーム部材４３に配置された第２ガイドローラ４４を挿入する。
【００８５】
この後、第１扉体２１の第２構成部分２１Ｂを構成する前記表面パネル８２の上端に工場で結合された連結部材９７を第１構成部分２１Ａの枠部材３６の第１垂下部３６Ｂに結合具９６（図７参照）で結合することにより、第１構成部分２１Ａに連結する作業と、この表面パネル８２を、前記表面パネル８１に取り付けられている下部フレーム部材４３と側部フレーム部材８３とに図８、図１３の結合具９２，９４で結合する作業とを行う。これらの作業を行うことにより、表面パネル８１，８２と下部フレーム部材４３と側部フレーム部材８３とで構成される第１扉体２１の第２構成部分２１Ｂは出来上がることになり、この第２構成部分２１Ｂは、第１構成部分２１Ａの下部に連結されることになる。
【００８６】
以上の作業を行った後、一部が結合部材５６で上枠部材１０の取付部材２９に結合されている連動機構５０の紐状部材５５を２個の回転部材５２，５４に掛け回しながらこの紐状部材５５の両端部を、第２扉体２２の戸先側のブラケット４１に結合されている連結部材５７に止着具で止着する作業と、自動閉鎖装置６０から導出されている紐状部材６１の端部を、第２扉体２２の戸先側のブラケット４１に結合する作業を行う。
【００８７】
この後、前記補強部材２０や前記内側壁材と外側壁材と壁仕上げ材による戸袋３の部分の壁５のうちの点検カバー２３が取り付けられる側の壁５を形成する作業や、点検カバー２３が取り付けられる側に配置される竪額縁部材１３を取り付ける作業を行う。そして、最後に、上枠部材１０に点検カバー２３を取り付けセットする作業等を行うことにより、引戸装置は設置現場において組み立てられることになる。
【００８８】
なお、第２扉体２２用の第２ガイドレール３９を竪枠部材１１，１２に架設した後、先に点検カバー２３が取り付けられる側の壁５を形成する作業や、点検カバー２３が取り付けられる側に配置される竪額縁部材１３を取り付ける作業を行い、この後、第１扉体２１及び第２扉体２２の設置作業を行うようにしてもよい。
【００８９】
以上説明した本実施形態では、第２扉体２２を開閉移動方向へ案内するための第２ガイドレール３９は、扉体２１，２２に対して不動部材となっている竪枠部材１１，１２との間に架設されている。すなわち、第２ガイドレール３９は、従来の多重引き式引戸装置のように、第１扉体２１には取り付けられていない。
【００９０】
このため、本実施形態によると、第２ガイドレールが第１扉体に取り付けられていた従来の多重引き式引戸装置と比較して、第１扉体の全体重量の軽量化を図ることができる。これにより、第１扉体の取付作業等にかかる労力が軽減される。さらに、本実施形態によると、第１扉体の構造の簡単化を図ることもできる。
【００９１】
また、本実施形態では、第１ガイドレール３０で案内されて開閉移動する第１扉体２１は、上側の第１構成部分２１Ａと、この第１構成部分２１Ａに連結される下側の第２構成部分２１Ｂとの組み合わせで構成されているとともに、第１構成部分２１Ａには、第１ガイドレール３０に転動自在に係合する第１係合部となっている第１ローラ３２がブラケット３３を介して取り付けられ、第１扉体２１を第１ローラ３２によって第１ガイドレール３０に吊り込む作業を行うときには、第１構成部分２１Ａに第２構成部分２１Ｂは連結されておらず、第１構成部分２１Ａだけを第１ガイドレール３０に吊り込めばよいため、第１扉体２１のローラ３２を第１ガイドレール３０に転動自在に係合するための作業を、第１扉体２１の全体を持ち上げることなく、第１構成部分２１Ａだけの持ち上げによって容易に行える。
【００９２】
図１６〜図１８には、第２ガイドレールの別実施形態が示されている。図１６は、本実施形態に係る第２ガイド部材となっている第２ガイドレール１３９を備えた多重引き式引戸装置の全体正面図である。また、図１７は、図１６のＳ１７−Ｓ１７線断面図であり、図１８は、図１６のＳ１８−Ｓ１８線断面図である。なお、図１６では、竪枠部材１１の一部が破断して示されている。また、前述の図１〜図１５の実施形態と同一の部材、装置には同じ符号を付し、その説明は省略する。
【００９３】
図１７に示されているように、第２ガイドレール１３９は、前述の図１〜図１６の実施形態の第２ガイドレール３９と同様に、第１扉体２１の第１構成部分２１Ａの内部を貫通して配置されており、また、上下に延びる基端部１３９Ａと、この基端部１３９Ａの下端から扉体２１，２２の厚さ方向へ水平又は略水平に延びるアーム部１３９Ｂとを有する略Ｌ字形状を有し、上枠部材１０の全長又は略全長に渡る長さを有している。
【００９４】
本実施形態では、第２ガイドレール１３９は、前述の図１〜図１６の実施形態の第２ガイドレール３９とは異なり、不動部材である上枠部材１０に取り付けられている。これを具体的に説明すると、図１６及び図１８に示されているように、第２ガイドレール１３９の戸先側の端部１３９Ｄにおける基端部１３９Ａと上枠部材１０のとの間には、スペーサ１１０が配置されており、図１８に示されているように、前記端部１３９Ｄにおける基端部１３９Ａはスペーサ１１０を介してビス等の結合具１１１で上枠部材１０に結合されている。また、第２ガイドレール１３９の戸尻側の端部１３９Ｅにおける基端部１３９Ａと上枠部材１０のとの間にも、スペーサ１１０が配置されており、図１８に示されているように、前記端部１３９Ｅにおける基端部１３９Ａもスペーサ１１０を介してビス等の結合具１１１で上枠部材１０に結合されている。
【００９５】
これにより、本実施形態では、前述の図１〜図１６の実施形態の第２ガイドレール３９と同様に、第２ガイドレール１３９の基端部１３９Ａと上枠部材１０との間には、隙間部４５が形成されるので、扉体２１の第１構成部２１Ａの枠部材３６の第２垂下部３６Ｃ及び枠部材３７の垂下部３７Ｂや、扉体２１の第２構成部２１Ｂの表面パネル８１等がこの隙間部４５を通過可能となっている。
【００９６】
なお、本実施形態では、第２ガイドレール１３９を竪枠部材１１から竪枠部材１２までの間の全長にわたって設けなくてもよい。この場合には、竪枠部材１１から竪枠部材１２までの間における第２ガイドレール１３９を設けない部分に、例えば、扉体の全閉状態を保持するためのロック装置の構成部材などの他の部材を設けてもよい。
【００９７】
具体的には、例えば、本実施形態に係る多重引き式引戸装置が、第１及び第２扉体２１，２２の全閉状態を保持するためのロック装置を備え、このロック装置は、第２扉体２２に設けられた係合部材と、この係合部材が係合する被係合部材とを含んで構成されるものである場合には、第２ガイドレール１３９の戸先側の端部を竪枠部材１１まで設けないようにし、前記戸先側の端部と竪枠部材１１との間に形成される空間に前記被係合部材を配置するようにしてもよい。
【００９８】
なお、以上説明した実施形態では、第１及び第２扉体を開閉移動方向へ案内する第１及び第２ガイド部材はガイドレールであったが、スライドレール（スライディングレール）でもよい。
【００９９】
また、以上説明した実施形態に係る多重引き式引戸装置は、第２扉体が第１扉体の内部に出入り可能となっている入れ子式のものであったが、本発明は、第１扉体に対して第２扉体を、第１扉体の厚さ方向にずれて配置した多重引き式引戸装置等にも適用できる。
【０１００】
また、以上説明した実施形態では、扉体の数は２個であったが、本発明は、３個以上の扉体を備えている多重引き式引戸装置にも適用できる。
【０１０１】
また、以上説明した実施形態では、第１及び第２扉体２１，２２の開閉移動は手動によるものであったが、電動によるものでもよい。すなわち、第１及び第２扉体２１，２２の開閉移動は、自動閉鎖式及び／又は自動開放式でよい。
【０１０２】
また、以上説明した実施形態では、第１ガイドレール３０の開閉移動方向の長さは、通常の第１扉体２１の開閉における第１ローラ３２の転動範囲よりも余分に戸先側へ長くなくてもよい。
【産業上の利用可能性】
【０１０３】
本発明は、少なくとも２個の扉体がガイドレール等のガイド部材に吊り下げられた上吊り式の引戸装置に利用することができる。
【図面の簡単な説明】
【０１０４】
【図１】本発明の一実施形態に係る多重引き式引戸装置の全体を示す正面図である。
【図２】図１の上枠部材の内部に収納配置されている扉体移動機構を示す全体正面図であって、図１で示されている点検カバーを取り外し、かつ堅額縁部材と戸袋と壁を除外し、第１扉体と第２扉体が出入口を全閉とする位置に達しているときを示した図である。
【図３】第１扉体と第２扉体が出入口を全開とする位置に達しているときを示す図２と同様の図である。
【図４】図２のときの第１扉体と扉体移動機構の一部を拡大して示した正面図である。
【図５】図２のときの第２扉体と扉体移動機構の一部を拡大して示した正面図である。
【図６】図２のときの第１扉体と第２扉体と扉体移動機構の要部を拡大して示した正面図である。
【図７】点検カバーを２点鎖線で示した図６のＳ７−Ｓ７線断面図である。
【図８】第１扉体と第２扉体の下部を示す断面図である。
【図９】図６のＳ９−Ｓ９線断面図である。
【図１０】第１扉体と第２扉体を連動させる連動機構を示す図６のＳ１０−Ｓ１０線断面図である。
【図１１】図６のＳ１１−Ｓ１１線断面図で図７と同様の図である。
【図１２】図４で示されているロータリー式ブレーキ装置をさらに拡大し、収納ケースを２点鎖線で示した図である。
【図１３】第２扉体を除外して示した第１扉体の平断面図である。
【図１４】第１扉体の上側の第１構成部分を第１ガイドレールに吊り下げたときを示す図１１と同様の図である。
【図１５】第２ガイドレールを２個の竪枠部材の間に架設した後、第１扉体の下側の第２構成部分を構成する一方の表面パネルを第１構成部分に連結したときを示す図１１と同様の図である。
【図１６】別実施形態に係る第２ガイドレールを備えた多重引き式引戸装置の全体を示す正面図で図２と同様の図である。
【図１７】図１６のＳ１７−Ｓ１７線断面図で図１１と同様の図である。
【図１８】図１６のＳ１８−Ｓ１８線断面図で図９と同様の図である。
【符号の説明】
【０１０５】
２  開口部である出入口
１０  不動部材である上枠部材
１１  不動部材を構成する第１竪枠部材である戸先側の竪枠部材
１２  不動部材を構成する第２竪枠部材である戸尻側の竪枠部材
２１  第１扉体
２１Ａ  第１扉体の扉体構成部分である第１構成部分
２１Ｂ  第１扉体の扉体構成部分である第２構成部分
２２  第２扉体
３０  第１ガイド部材である第１ガイドレール
３２  第１扉体の第１係合部である第１ローラ
３９  第２ガイド部材である第２ガイドレール
４０  第２扉体の第２係合部である第２ローラ
５０  連動機構
【図１】
2008115530.tif 000003
【図２】
2008115530.tif 000004
【図３】
2008115530.tif 000005
【図４】
2008115530.tif 000006
【図５】
2008115530.tif 000007
【図６】
2008115530.tif 000008
【図７】
2008115530.tif 000009
【図８】
2008115530.tif 000010
【図９】
2008115530.tif 000011
【図１０】
2008115530.tif 000012
【図１１】
2008115530.tif 000013
【図１２】
2008115530.tif 000014
【図１３】
2008115530.tif 000015
【図１４】
2008115530.tif 000016
【図１５】
2008115530.tif 000017
【図１６】
2008115530.tif 000018
【図１７】
2008115530.tif 000019
【図１８】
2008115530.tif 000020